(57)【特許請求の範囲】
【請求項１】
回動可能な門扉を、固定物に係止する門扉の施錠装置において、
回動可能に門扉側に設けられ、該回動により固定物を挟み、門扉を固定物に係止して門扉を閉とし、又該回動により固定物を挟まずに門扉の係止を解いて門扉を開可能とする、一対の施錠板と、
前記一対の施錠板の中の一方の施錠板のほぼ中央に設けられた第１の回動孔と、
該一方の施錠板の一端側に設けられ、前記固定物を挟む第１の挟持部と、
該一端側の前記回動孔を挟んで反対側に設けられた第１のカウンタバランス部と、
前記一対の施錠板の中の他方の施錠板のほぼ中央に設けられた第２の回動孔と、
該他方の施錠板の一端側に設けられ、前記固定物を挟む第２の挟持部と、
該一端側の前記回動孔を挟んで反対側に設けられた第２のカウンタバランス部と、
該他方の施錠板に設けられ、前記第１と第２の挟持部が係止を解く位置にある時、前記固定物に当接可能なストッパ部と、を有し、
前記ストッパ部は、前記第２の挟持部とほぼ直角をなし、前記第２の挟持部が固定物を係止する位置にある時、前記ほぼ中央に設けられた第２の回動孔の下方に延出し、
前記一方と他方の施錠板は、前記第１と第２の回動孔を中心に回動する、
ことを特徴とする門扉の施錠装置。
【請求項２】
前記第１と第２の挟持部がそれぞれ斜め部を有し、該斜め部により前記挟持部の係止を解く位置へと回動する方向である開回動方向に曲げられている、
請求項１の門扉の施錠装置。
【請求項３】
門扉側に設けられた係止部を更に有し、
前記門扉を閉とするときに、前記カウンタバランス部において前記施錠板を係止する、
請求項２の門扉の施錠装置。
【発明の詳細な説明】
【技術分野】
【０００１】
この発明は、門扉の施錠装置に関する。
【背景技術】
【０００２】
門扉は支柱にヒンジ等を介して回動可能に取り付けられ、対向する支柱に施錠装置により係止される構造になっている。
施錠装置の構造には種々のものがあるが、一対の施錠板により支柱を挟む構造のものが、知られている（特許文献１）。
また門扉には、両方向に開くものと、一方向にのみ開くものがあり、一方向にのみ開くようにするときには、他方側に開かないように支柱側か扉側に何らかの止め金を設ける必要がある（特許文献２）。  
【０００３】
【特許文献１】実開平６−６６５８号公報
【特許文献２】意匠登録１１６９３４２号公報
【発明の開示】
【発明が解決しようとする課題】
【０００４】
しかし、前記止め金は、ユーザの要求により必要であったり、或いは不要であったりするため、予め設けておくことが難しく、出荷時の設置作業や現場での施行が必要であるなどの問題があった。
本発明は上記従来技術の問題を解決することを目的とする。
【課題を解決するための手段】
【０００５】
上記目的を達成するために、本発明の門扉の施錠装置は、回動可能な門扉を、固定物に係止する門扉の施錠装置において、回動可能に門扉側に設けられ、該回動により固定物を挟み、門扉を固定物に係止して門扉を閉とし、又該回動により固定物を挟まずに門扉の係止を解いて門扉を開可能とする、一対の施錠板と、  前記一対の施錠板の中の一方の施錠板のほぼ中央に設けられた第１の回動孔と、  該一方の施錠板の一端側に設けられ、前記固定物を挟む第１の挟持部と、該一端側の前記回動孔を挟んで反対側に設けられた第１のカウンタバランス部と、前記一対の施錠板の中の他方の施錠板のほぼ中央に設けられた第２の回動孔と、該他方の施錠板の一端側に設けられ、前記固定物を挟む第２の挟持部と、該一端側の前記回動孔を挟んで反対側に設けられた第２のカウンタバランス部と、該他方の施錠板に設けられ、前記第１と第２の挟持部が係止を解く位置にある時、前記固定物に当接可能なストッパ部と、を有し、前記ストッパ部は、前記第２の挟持部とほぼ直角をなし、前記第２の挟持部が固定物を係止する位置にある時、前記ほぼ中央に設けられた第２の回動孔の下方に延出し、前記一方と他方の施錠板は、前記第１と第２の回動孔を中心に回動する、ことを特徴とする。
また、前記第１と第２の挟持部がそれぞれ斜め部を有し、該斜め部により前記挟持部の係止を解く位置へと回動する方向である開回動方向に曲げられている、ことが望ましい。
更に門扉側に設けられた係止部を更に有し、前記門扉を閉とするときに、前記カウンタバランス部において前記施錠板を係止する、ように構成することが望ましい。  
【発明の効果】
【０００６】
本発明の施錠装置によれば、施錠装置が開錠状態の時には、ストッパ部により一方向側への門扉の回動が係止されるため、従来のように止め金を設ける必要がなく、門扉を他方側にのみ開くようにすることが出来る。また、カウンタバランス部を有しているため、回動が軽く且つ円滑に行える効果がある。
更に請求項２の発明においては、挟持部が係止を解く位置へと回動した際に、安定した係止状態とすることが可能である。
【発明を実施するための最良の形態】
【０００７】
以下本発明の実施の形態を図面に基づいて説明する。
図１において、門扉１の枠１０に施錠装置２が装着されている。門扉１は一端側で支柱（図示せず）に回動可能に支持され、図２に示すように他端側の支柱５に施錠装置２により係止されるようになっている。
【０００８】
施錠装置２は施錠板２１と施錠板２２を有し、この施錠板２１と施錠板２２により支柱５を挟んで、門扉１を支柱５に係止するように構成されている。
施錠板２０と施錠板２１は、枠１０を貫通するボルト・ナット２９により連結され、枠１０の表裏面においてボルト・ナット２９の回動と共に回動するように構成されている。
【０００９】
施錠板２０と施錠板２１は図３と図４に示すように、ストッパ部２５を除いて同一の形状をなしており、ほぼ中央部にボルト孔である前記回動孔２３が設けられ、ここにボルト・ナット２９を嵌合して、施錠板２０と施錠板２１及びボルト・ナット２９が一体的に回動するように構成されている。
挟持部２２、２２は該回動により、図２に示すように支柱５を挟持する状態と、支柱５を挟持しない状態になり、これにより門扉１の開閉を行えるように構成されている。
【００１０】
施錠板２１は図４に示すように、左右に長いほぼ長方形をなしており、この中央部に回動孔２３が設けられ、この回動孔２３の一方側が挟持部２２、他方側がカウンタバランス部３０になっている。
挟持部２２は回動孔２３側の斜め部２６とそれに続く水平部２８から構成されており、斜め部２６において図面上で上方向に曲げられて延出し、水平部２８において水平方向に伸びる形状をなしている。即ち、カウンタバランス部３０から回動孔２３を過ぎたところで、当接辺２７において図面上上方に曲げられ、上方に持ち上げられた状態で水平部２８において再び水平方向に伸びた形状をなしている。
前記図面上の上方向とは、換言すれば前記挟持部の係止を解く位置へと回動する方向である開回動方向であり、斜め部２６において、開回動方向に曲げられ、該方向に持ち上げられている。
またカウンタバランス部３０の上辺は当接辺３１になっており、後述する係止部４０に係止するようになっている。
【００１１】
施錠板２０は図３と図４に示すように、施錠板２１にストッパ部２５を追加した形状をなしており、このストッパ部２５は前記回動孔２３の下側に挟持部２２とほぼ直角の角度をなすように延出している。
枠１０には、更に係止部４０が設けられており、図２に示すように、施錠装置２が閉状態の時に当接辺３１がここに係止するようになっている。
【００１２】
ストッパ部２５は、挟持部２２とほぼ直角の角度をなすように延出しており、図２に示すように、挟持部２２が支柱５の係止を解いた状態の時に、支柱５に当接可能となり、一方向への門扉１の回動を禁止するようになっている。
ストッパ部２５の大きさや挟持部２２となす角度を調整することにより、挟持部２２の係止が解かれた直後に支柱５に係止するように構成したり、あるいは挟持部２２の係止が解かれる少しまえに支柱５に係止するように構成するなど種々の態様を取ることが可能になる。
【００１３】
一方施錠板２１は図４に示すようにストッパ部２５を有しておらず、挟持部２２のみを備えている。この構成により、図５に示すように挟持部２２による支柱５の係止が解けると、支柱５に当接可能となるものはなくなる。
図６はこの状態を示すもので、施錠装置２の回動により挟持部２２、２２による支柱５の挟持が解けると、（Ｂ）に示すように施錠板２０のストッパ部２５が支柱５に当接可能状態になるので、このストッパ部２５がストッパとなり、施錠板２１側へ門扉１を開くことはできない。門扉１は施錠板２０側にのみ開くことが可能になる。
【００１４】
以上説明した実施形態によれば、一方の施錠板２０に形成したストッパ部２５により、開状態であっても、一方への門扉１の回動は係止され、門扉１は他方側へのみ開くことになる。
【００１５】
従来このように一方向へのみ開閉させる場合、予めストッパ部材などを設けておく必要があり、ユーザのニーズにより現場での施工等が必要であったが、上記構成によれば、施錠装置２の一方の施錠板をストッパ部２５を備えた施錠板２０にするだけでよく、極めて簡単に一方向開閉型の施錠装置を形成できる効果がある。
【００１６】
更に、この施錠装置２の構成部材は係止部４０を含めて全て枠１０側に設けているため、支柱５には何ら加工を施す必要がなく、既存の支柱５に適用するのも容易である。
【図面の簡単な説明】
【００１７】
【図１】本発明の一実施形態を示す概略斜視図。
【図２】本発明の一実施形態の動作を示す部分正面図。
【図３】本発明の一実施形態の施錠板２０の正面図。
【図４】本発明の一実施形態の施錠板２１の正面図。
【図５】本発明の一実施形態の動作を示す部分正面図。
【図６】本発明の一実施形態の動作を示す概略平面図。
【符号の説明】
【００１８】
１：門扉、２：施錠装置、５：支柱、１０：枠、２０：施錠板、２１：施錠板、２２：挟持部、２３：回動孔、２４：錠孔、２５：ストッパ部、２６：斜め部，２７：当接辺、２８：水平部、２９：ボルト・ナット、３０：カウンタバランス部、３１：当接辺、４０：係止部。
【図１】
0005289512.tif 000002
【図２】
0005289512.tif 000003
【図３】
0005289512.tif 000004
【図４】
0005289512.tif 000005
【図５】
0005289512.tif 000006
【図６】
0005289512.tif 000007